(57)【特許請求の範囲】
【請求項１】
戸体を開閉可能に支持した枠体に、棒状もしくは鎌状の係止部材が係合離脱される受座を設け、上記戸体の室内外両面に、鍵操作により連動して戸体内に設けられた錠の上記係止部材を上記受座に係合離脱させる施解錠可能なシリンダーをそれぞれ設け、その室内側のシリンダーに、通常時は鍵を取り付けた状態に保持し、必要時に鍵を取り外せるように開放するロック部を設け、該ロック部は、室内側シリンダーの入口側に鍵穴を覆う如く径方向に往復移動可能に設けられたゲート部材を有し、このゲート部材の一端には、ゲート部材を径方向内方へ押し動かすための操作部が突設され、操作部が径方向外方へ突出する方向へゲート部材を付勢する復帰バネが取り付けられ、室内側のシリンダーに用いられる鍵は、摘み部と鍵部を有し、その鍵部の基部側に係止部が径方向外方に突設され、上記ゲート部材には、そのロック位置において、上記鍵部の挿通および回動を許容するが、鍵部が鍵穴から抜けないように上記係止部を係止し、ロック解除位置において、係止部の挿通を許容する開口部が設けられていることを特徴とするドア、引戸等の建具。
【発明の詳細な説明】
【０００１】
【発明の属する技術分野】
本発明は、ドア、引戸等の建具に係り、特に戸体の室内外両面にシリンダーを設けて防犯性の向上を図ったドア、引戸等の建具に関する。
【０００２】
【従来の技術】
ドア、引戸等の建具としては、戸体を開閉可能に支持した枠体に、棒状もしくは鎌状の係止部材が係合離脱される受座を設け、上記戸体の室外面に、鍵操作により連動して戸体内に設けられた錠の上記係止部材を上記受座に係合離脱させる施解錠可能なシリンダーを設けると共に、上記戸体の室内面に、つまみ操作により連動して上記係止部材を上記受座に係合離脱させる施解錠可能なサムターンを設けたものが知られている。このサムターンにより就寝時等に室内側から施錠できるようにすることで、防犯性の向上が図られている。
【０００３】
【発明が解決しようとする課題】
しかしながら、上記建具においては、戸体に装飾や明り取りのためのガラス窓を設けている場合、室外側からそのガラス窓のガラスを破壊して手を挿入し、サムターンが外部から不正に解錠操作される恐れがあり、防犯性が損われる問題点があった。なお、この問題点を解消する方法としては、上記ガラス窓のガラスが破壊されないように例えば防弾ガラスを採用する方法もあるが、コストが増大し、実用性に欠ける。
【０００４】
そこで、本発明の目的は、上記サムターンの有する問題点を解消し、外部から室内側の不正な解錠操作を困難にして、就寝時や外出時等における防犯性の向上を図ったドア、引戸等の建具を提供することにある。
【０００５】
【課題を解決するための手段】
上記目的を達成するために、本発明（請求項１に係る発明）は、戸体を開閉可能に支持した枠体に、棒状もしくは鎌状の係止部材が係合離脱される受座を設け、上記戸体の室内外両面に、鍵操作により連動して戸体内に設けられた錠の上記係止部材を上記受座に係合離脱させる施解錠可能なシリンダーをそれぞれ設け、その室内側のシリンダーに、通常時は鍵を取り付けた状態に保持し、必要時に鍵を取り外せるように開放するロック部を設け、該ロック部は、室内側シリンダーの入口側に鍵穴を覆う如く径方向に往復移動可能に設けられたゲート部材を有し、このゲート部材の一端には、ゲート部材を径方向内方へ押し動かすための操作部が突設され、操作部が径方向外方へ突出する方向へゲート部材を付勢する復帰バネが取り付けられ、室内側のシリンダーに用いられる鍵は、摘み部と鍵部を有し、その鍵部の基部側に係止部が径方向外方に突設され、上記ゲート部材には、そのロック位置において、上記鍵部の挿通および回動を許容するが、鍵部が鍵穴から抜けないように上記係止部を係止し、ロック解除位置において、係止部の挿通を許容する開口部が設けられていることを特徴とする。
【０００６】
【実施の形態】
以下に、本発明の実施の形態を添付図面に基づいて詳述する。図１は本発明をドアに適用した実施の形態を示す室外側正面図、図２は図１のＡ−Ａ線拡大断面図、図３は室内側のシリンダーに用いられる鍵を示す側面図、図４はロック部の構造を示す図で、（ａ）は解錠位置の鍵が保持状態にある図、（ｂ）は施錠位置の鍵が保持状態にある図である。
【０００７】
図１において、１は室内と室外の遮蔽に用いられる建具の一つであるドアで、玄関や勝手口等に設けられる。このドア１は、建物の躯体の開口に設けられる方形枠状の枠体２と、この枠体２内に丁番（ヒンジ）３を介して開閉可能に支持された戸体（ドア本体）４とから主に構成されている。
【０００８】
上記枠体２は、上下左右の枠材、すなわち上枠２ａ、下枠２ｂおよび左右両側の縦枠２ｃ，２ｄにより組立られている。なお、枠体２としては、場合によって、下枠２ｂを有していないものもある。上記戸体４の一側である吊り元側（基部側）が、これと対応する吊り元側の縦枠２ｄに丁番３を介して取り付けられている。
【０００９】
上記戸体４には、装飾や明り取りのためにガラス窓５が設けられている。戸体４の他側である戸先側（自由端側）の内部には、シリンダー錠を構成する錠６が設けられており、この錠６は、戸先側の端面（錠面）から突出没入可能（出没可能）に設けられた棒状の係止部材（デッドボルトともいう）７を備えている。戸先側の縦枠２ｃには、上記係止部材７と対応する位置に、係止部材７が係合離脱される受座８が設けられている。
【００１０】
上記戸体４の戸先側の室内外両面には、図２に示すように、鍵１０，１１の操作により連動して上記係止部材７を上記受座８に係合離脱させる施解錠可能なシリンダー１２，１３がそれぞれ設けられている。両シリンダー１２，１３は、錠６の錠箱１４を挟んで取付手段例えば連結ねじ１５により室内側から互に連結されていることが好ましい。図示例の場合、室内側のシリンダー１２が戸体４の内部に没入され、室外側のシリンダー１３が戸体４の外部に突出されているが、戸体４の厚さに応じて、両シリンダー１２，１３が戸体４の内部に没入されていてもよく、あるいは戸体４の外部に突出されていてもよい。
【００１１】
上記錠６には、両シリンダー１２，１３が互に連動するように機械的に連結されており、何れか一方の鍵１０または１１の操作により、錠箱１４内の係止部材７を出没操作させて、施解錠するように構成されている。室外側のシリンダー１３には、常時、鍵１１が取り外され（抜き取られ）ており、外出時および帰宅時に鍵１１を差し込んで施錠や解錠を行うようになっている。一方、室内側のシリンダー１２は、通常時は鍵１０を取り付けた状態（差し込んだままの状態）にし、必要時例えば就寝時や外出時に鍵１０を取り外すように構成されている。なお、両シリンダー１２，１３の鍵１０，１１は、同じものでもよいが、防犯上、異なるものが好ましい。図１において、１６は戸体４を開閉する取っ手（ハンドル、握り玉ともいう）である。
【００１２】
本実施の形態のドア１においては、室内側のシリンダー１２に、通常時は鍵１０を取り付けた状態に保持（ロック）し、必要時に鍵１０を取り外せるように開放（解除）するロック部１７が設けられている。このロック部１７は、室内側シリンダー１２の入口側に鍵穴を覆う如く径方向に往復移動可能（図示例では上下移動可能）に設けられた板状のゲート部材１８を有している。このゲート部材１８の一端（図示例では下端）には、ゲート部材１８を径方向内方（ロック解除方向）へ押し動かすための操作部（ロック解除ボタン）１９が突設されている。
【００１３】
上記室内側のシリンダー１２には、その室内側露出部分を覆うカバー部材２０が取り付けられ、このカバー部材２０とシリンダー１２の入口側との間に上記ゲート部材１８を径方向に移動可能に収容する溝２１が設けられている。この溝２１内にゲート部材１８が径方向に移動可能に収容され、上記操作部１９がカバー部材２０を貫通して径方向外方に突出されている。また、上記溝２１内には、操作部１９が径方向外方へ突出する方向（ロック方向）へゲート部材１８を付勢する復帰バネ２２が取り付けられている。
【００１４】
室内側のシリンダー１２に用いられる鍵１０は、図３にも示すように、摘み部１０ａと鍵部１０ｂを有しており、その鍵部１０ｂの基部側には、係止部２３が径方向外方に突設されている。上記ゲート部材１８には、図４の（ａ）および（ｂ）に示すように、そのロック位置において、上記鍵部１０ｂの挿通および回動を許容するが、鍵部１０ｂが鍵穴から抜けないように上記係止部２３を係止し、且つ、ロック解除位置において、係止部２３の挿通を許容する開口部２４が設けられている。すなわち、上記ロック部１７は、室内側のシリンダー１２に鍵１０を差し込むと、係止部２３がゲート部材１８の開口部２４の周縁部に係止されて鍵１０を取り外せない状態にロックされ、操作部１９を復帰バネ２２のバネ力に抗して押すことにより係止部２３のロックが解除されて鍵１０を取り外せるようになっている。
【００１５】
以上のように構成されたドアにおいては、上記実施の形態のドアと同様に、就寝時には、室内側のシリンダー１２に取り付けられている鍵１０の操作で施錠した後、ロック部１７の操作部１９を押してロック解除することにより、その鍵１０を取り外して就寝すればよい。外出時には、ロック部１７の操作部１９を押してロック解除することにより、内側のシリンダー１２の鍵１０を取り外してから、外側のシリンダー１３の鍵１１の操作で施錠して外出すればよい。内側のシリンダー１２から取り外した鍵１０は、所持するか、あるいは内側のシリンダー１２から離れた位置（戸体４のガラス窓５等が破壊されて外部から手を挿入されたときに手の届かない位置）に保管しておけばよい。
【００１６】
就寝中や外出中に、戸体４のガラス窓５等を破壊し、外部から室内側のシリンダー１２を不正に解錠操作しようとしても、室内側のシリンダー１２からは鍵１０が取り外されているため、これを解錠操作することができず、戸体４を開けることができないので、防犯性の向上が図れる。
【００１７】
このように上記ドア１によれば、戸体４を開閉可能に支持した枠体２に、係止部材７が係合離脱される受座８を設け、上記戸体４の室内外両面に、鍵操作により連動して戸体４内に設けられた錠６の上記係止部材７を上記受座８に係合離脱させる施解錠可能なシリンダー１２，１３をそれぞれ設け、その室内側のシリンダー１２に、通常時は鍵１０を取り付けた状態に保持（ロック）し、必要時に鍵１０を取り外せるように開放（解除）するロック部１７を設けているため、就寝時や外出時等に室内側のシリンダー１２の鍵１０を取り外しておくことにより、外部から不正に解錠操作されるのを簡単な構造で確実に防止することが可能となり、防犯性の向上が図れると共に、ロック部１７を操作しない限り鍵１０が取り外せないので、鍵１０の紛失を防止することができる。
【００１８】
以上、本発明の実施の形態を図面により詳述してきたが、本発明は上記実施の形態に限定されるものではなく、本発明の要旨を逸脱しない範囲での種々の設計変更等が可能である。例えば、本発明は、親子ドア等の両開きドアにも適用可能である。また、本発明は、ドア以外に、例えば引戸等にも適用可能である。引戸に用いられる錠は、周知のように鎌状の係止部材を備えている。室内側のシリンダーに設けられるロック部としては、単なるネジ等であってもよい。また、上記実施の形態では、取っ手とシリンダーが別体になっているが、取っ手とシリンダーが一体になっていてもよい。
【００１９】
【発明の効果】
以上要するに本発明によれば、次のような効果を奏することができる。
【００２０】
（１）請求項１の発明によれば、戸体を開閉可能に支持した枠体に、棒状もしくは鎌状の係止部材が係合離脱される受座を設け、上記戸体の室内外両面に、鍵操作により連動して戸体内に設けられた錠の上記係止部材を上記受座に係合離脱させる施解錠可能なシリンダーをそれぞれ設け、その室内側のシリンダーに、通常時は鍵を取り付けた状態に保持し、必要時に鍵を取り外せるように開放するロック部を設け、該ロック部は、室内側シリンダーの入口側に鍵穴を覆う如く径方向に往復移動可能に設けられたゲート部材を有し、このゲート部材の一端には、ゲート部材を径方向内方へ押し動かすための操作部が突設され、操作部が径方向外方へ突出する方向へゲート部材を付勢する復帰バネが取り付けられ、室内側のシリンダーに用いられる鍵は、摘み部と鍵部を有し、その鍵部の基部側に係止部が径方向外方に突設され、上記ゲート部材には、そのロック位置において、上記鍵部の挿通および回動を許容するが、鍵部が鍵穴から抜けないように上記係止部を係止し、ロック解除位置において、係止部の挿通を許容する開口部が設けられているため、就寝時や外出時等に室内側のシリンダーの鍵を取り外しておくことにより、外部から不正に解錠操作されるのを簡単な構造で確実に防止することが可能となり、防犯性の向上が図れると共に、ロック部を操作しない限り鍵が取り外せないので、鍵の紛失を防止することができる。
【図面の簡単な説明】
【図１】本発明をドアに適用した実施の形態を示す室外側正面図である。
【図２】図１のＡ−Ａ線拡大断面図である。
【図３】室内側のシリンダーに用いられる鍵を示す側面図である。
【図４】ロック部の構造を示す図で、（ａ）は解錠位置の鍵が保持状態にある図、（ｂ）は施錠位置の鍵が保持状態にある図である。
【符号の説明】
２  枠体
４  戸体
７  係止部材
８  受座
１０，１１  鍵
１２，１３  シリンダー
１７  ロック部
【図１】
0004043937.tif 000002
【図２】
0004043937.tif 000003
【図３】
0004043937.tif 000004
【図４】
0004043937.tif 000005